(57)【特許請求の範囲】
【請求項１】
ビデ洗浄の際、水平面に対して斜め下方に進出し、便座に着座した使用者の人体局部に向けて吐水孔から洗浄水を吐水するノズルを備え、
前記ノズルは、第１の範囲に洗浄水を吐水する第１の吐水と、前記第１の範囲よりも狭い第２の範囲に洗浄水を吐水する第２の吐水と、を切り替え可能であり、
前記便座に着座した使用者の背面から前面に向かう方向を前方とし、前記便座に着座した使用者の前面から背面に向かう方向を後方としたとき、
前記第２の吐水から前記第１の吐水へ切り替えた際に、前記第１の吐水の吐水孔の位置は、前記第２の吐水の吐水孔の位置よりも後方であり、
前記第１の吐水から前記第２の吐水へ切り替えた際に、前記第２の吐水の吐水孔の位置は、前記第１の吐水の吐水孔の位置よりも前方であることを特徴とする衛生洗浄装置。
【請求項２】
前記第１の吐水から前記第２の吐水への切り替え及び前記第２の吐水から前記第１の吐水への切り替えの少なくともいずれかを実行する際に、前記ノズルが移動している状態で切り替えることを特徴とする請求項１記載の衛生洗浄装置。
【請求項３】
前記第１の吐水から前記第２の吐水への切り替え及び前記第２の吐水から前記第１の吐水への切り替えの少なくともいずれかを実行する際に、前記吐水孔からの洗浄水の吐水が停止した状態で、前記ノズルが移動し、前記ノズルが停止している状態で、前記第１の吐水と前記第２の吐水との切り替えを実行することを特徴とする請求項１記載の衛生洗浄装置。
【請求項４】
前記ビデ洗浄を開始する際には、前記第２の吐水を実行することを特徴とする請求項１〜３のいずれか１つに記載の衛生洗浄装置。
【請求項５】
前記吐水孔の位置の変化の範囲は、前記第１の範囲内に前記第２の範囲が収まる範囲であることを特徴とする請求項１〜４のいずれか１つに記載の衛生洗浄装置。
【請求項６】
前記ノズルは、前記ノズルを往復移動させながら前記第１の吐水を行う移動吐水を実行可能であり、
前記移動吐水において、前記ノズルが停止している状態で前記第１の吐水を実行するときの前記ノズル位置よりも後方の範囲内で前記ノズルを往復移動させることを特徴とする請求項１〜５のいずれか１つに記載の衛生洗浄装置。
【発明の詳細な説明】
【技術分野】
【０００１】
本発明の態様は、一般的に、衛生洗浄装置に関し、具体的には洋式腰掛便器に腰掛けた使用者の女性局部を水で洗浄する衛生洗浄装置に関する。
【背景技術】
【０００２】
従来、局部洗浄用ノズルからそのまま吐水して、女性局部すなわち膣口やその周囲の洗浄を行う吐水とは別に、局部洗浄用のノズルを移動させることなく洗浄範囲（着水時の洗浄面積）を拡大する技術として、螺旋状に旋回させた洗浄水をノズルの吐水孔から吐水できる人体洗浄装置が知られている（特許文献１）。また、同様な技術として、細分化された洗浄水を旋回状態で吐水することができる人体局部洗浄装置も知られている（特許文献２）。さらに、ビデ洗浄において、洗浄面積が広いワイド洗浄と、洗浄面積が狭いスポット洗浄と、をボタン操作により変更することができる人体局部洗浄装置も知られている（特許文献３）。
【０００３】
ここで、従来知られている局部洗浄用ノズルは、人体局部の斜め後方から吐水される形態になっている。そのような形態で、特許文献３のように、ビデ洗浄（スポット吐水）からワイド吐水へ、ノズルをいったん収納せずに瞬時に切り替えた場合、使用者の前方に洗浄水が飛び散る可能性がある。すなわち、スポット吐水に比べてワイド吐水は広い範囲を洗浄できる。しかも吐水孔から使用者の前方側まで距離があるため、ワイド吐水では特に洗浄水が飛散しやすくなる。一方、ワイド吐水からスポット吐水に切り替えた際には、使用者が、ワイド吐水時に、洗浄水が飛散するのを嫌って、吐水位置を少し後方に設定していたりすると、洗浄範囲が狭くなることから、ビデ洗浄ポイントが後方にずれてしまう。このように、吐水形態の切り替えの際の洗浄水の飛び散りや、着水ポイントのずれによって、使用者に不快感を与えないようするには改善の余地がある。
【先行技術文献】
【特許文献】
【０００４】
【特許文献１】特開２００１−９０１５５号公報
【特許文献２】特開２００３−２４７２６０号公報
【特許文献３】特開２０００−２８２５４５号公報
【発明の概要】
【発明が解決しようとする課題】
【０００５】
本発明は、かかる課題の認識に基づいてなされたものであり、洗浄水の飛び散りや着水ポイントのずれを抑制して快適なビデ洗浄を行うことができる衛生洗浄装置を提供することを目的とする。
【課題を解決するための手段】
【０００６】
第１の発明は、ビデ洗浄の際、水平面に対して斜め下方に進出し、便座に着座した使用者の人体局部に向けて吐水孔から洗浄水を吐水するノズルを備え、前記ノズルは、第１の範囲に洗浄水を吐水する第１の吐水と、前記第１の範囲よりも狭い第２の範囲に洗浄水を吐水する第２の吐水と、を切り替え可能であり、前記便座に着座した使用者の背面から前面に向かう方向を前方とし、前記便座に着座した使用者の前面から背面に向かう方向を後方としたとき、前記第２の吐水から前記第１の吐水へ切り替えた際に、前記第１の吐水の吐水孔の位置は、前記第２の吐水の吐水孔の位置よりも後方であり、前記第１の吐水から前記第２の吐水へ切り替えた際に、前記第２の吐水の吐水孔の位置は、前記第１の吐水の吐水孔の位置よりも前方であることを特徴とする衛生洗浄装置である。
【０００７】
この衛生洗浄装置によれば、第２の吐水から第１の吐水に切り替えた際に、ノズルの後方への移動や吐水孔の切り替えによって、第１の吐水の吐水位置を、第２の吐水の吐水位置よりも後方にすることから、吐水の位置を変更しない場合に比べて使用者の前側への洗浄水の飛び散りを減少させることができる。  
使用者の前側への洗浄水の飛び散りを減少させることにより、使用者の太ももや便座への洗浄水の飛び散りを抑制でき、使用感の良好な衛生洗浄装置を提供できる。またさらに、女性局部を洗浄するビデ洗浄の際には、男性のように障害物がないために、洗浄水が使用者の股を抜けて前方に飛び散りやすいが、第１の発明によれば、ビデ洗浄において洗浄水が使用者の股を抜けて前方に飛び散ることを効果的に抑制できる。
【０００９】
この衛生洗浄装置によれば、第１の吐水から第２の吐水に切り替えた際に、ノズルの前方への移動や吐水孔の切り替えによって、第２の吐水の位置を、第１の吐水の吐水位置よりも前方にすることから、第１の吐水を最初に使用者が選択して、飛び散りを気にして、第１の吐水の位置を後方に設定された状態でも、第２の吐水に切り替えた際に前方に移動させるので、第２の吐水の吐水ポイントが後方にずれるといった問題が生じない。
【００１０】
また、第２の発明は、第１の発明において、前記第１の吐水から前記第２の吐水への切り替え及び前記第２の吐水から前記第１の吐水への切り替えの少なくともいずれかを実行する際に、前記ノズルが移動している状態で切り替えることを特徴とする衛生洗浄装置である。
【００１１】
この衛生洗浄装置によれば、切り替えと同時に、吐水位置及び吐水形態が変わるので、使用者の切り替え意図にすばやく対応することができる。
【００１２】
また、第３の発明は、第１の発明において、前記第１の吐水から前記第２の吐水への切り替え及び前記第２の吐水から前記第１の吐水への切り替えの少なくともいずれかを実行する際に、前記吐水孔からの洗浄水の吐水が停止した状態で、前記ノズルが移動し、前記ノズルが停止している状態で、前記第１の吐水と前記第２の吐水との切り替えを実行することを特徴とする衛生洗浄装置である。
【００１３】
この衛生洗浄装置によれば、吐水形態を変更する際の洗浄水の飛び散りも効果的に抑制することができる。
【００１４】
また、第４の発明は、第１〜第３のいずれか１つの発明において、前記ビデ洗浄を開始する際には、前記第２の吐水を実行することを特徴とする衛生洗浄装置である。
【００１５】
この衛生洗浄装置によれば、ビデ洗浄を行う際には、必ず第２の吐水が最初に選択されるので、第２の吐水で、使用者が位置調整を行うことになり、第１の吐水に切り換えても、洗浄範囲としては、飛び散りの影響のない範囲で吐水することができる。これにより、飛び散りを防止した第１の吐水をすることができる。
【００１６】
また、第５の発明は、第１〜第４のいずれか１つの発明において、前記吐水孔の位置の変化の範囲は、前記第１の範囲内に前記第２の範囲が収まる範囲であることを特徴とする衛生洗浄装置である。
【００１７】
この衛生洗浄装置によれば、吐水位置の変化が僅かであるので、使用者に、吐水位置の変更があったことを知られずに、吐水位置を変えることができる。
【００１８】
また、第６の発明は、第１〜第５のいずれか１つの発明において、前記ノズルは、前記ノズルを往復移動させながら前記第１の吐水を行う移動吐水を実行可能であり、前記移動吐水において、前記ノズルが停止している状態で前記第１の吐水を実行するときの前記ノズル位置よりも後方の範囲内で前記ノズルを往復移動させることを特徴とする衛生洗浄装置である。
【００１９】
この衛生洗浄装置によれば、第１の吐水について移動吐水による洗浄（ムーブ洗浄）機構を備えており、ムーブ洗浄機構では、ノズルの静止位置から後方に向かってムーブする。このため、ムーブ洗浄であっても使用者の前側への洗浄水の飛び散りを抑制することができる。
【発明の効果】
【００２０】
本発明の態様によれば、洗浄水の飛び散りを抑制して快適なビデ洗浄を行うことができる衛生洗浄装置が提供される。
【図面の簡単な説明】
【００２１】
【図１】本発明の実施の形態にかかる衛生洗浄装置を備えたトイレ装置を例示する斜視模式図である。
【図２】各種吐水による洗浄水の着水範囲を説明するための概念模式図である。
【図３】本実施形態にかかる衛生洗浄装置の要部構成を表すブロック図である。
【図４】ノズルの具体例を例示する模式的斜視図である。
【図５】ノズルを上方から眺めた模式的平面図である。
【図６】図５に表した切断面Ａ−Ａにおける模式的断面図である。
【図７】ビデ洗浄におけるワイド吐水の状態を説明する模式図である。
【図８】スポット吐水とワイド吐水とのノズルの位置の相違を説明する模式図である。
【図９】第１のパターンを説明するタイミングチャートである。
【図１０】第２のパターンを説明するタイミングチャートである。
【図１１】第３のパターンを説明するタイミングチャートである。
【図１２】ノズルの他の例について説明する模式的平面図である。
【図１３】スポット吐水とワイド吐水との切り替えを説明する模式図である。
【図１４】ワイド吐水のムーブについて説明する模式図である。
【発明を実施するための形態】
【００２２】
以下、本発明の実施の形態について図面を参照しつつ説明する。なお、各図面中、同様の構成要素には同一の符号を付して詳細な説明は適宜省略する。
図１は、本発明の実施の形態にかかる衛生洗浄装置を備えたトイレ装置を例示する斜視模式図である。
【００２３】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。便蓋３００は、閉じた状態において便座２００の上方を覆うことができる。
【００２４】
ここで、図１に表した具体例においては、衛生洗浄装置１００の便座２００の着座面の側を上方向（上方）、これと反対側を下方向（下方）、衛生洗浄装置１００の便座２００が軸支される側を後方向（後方）、これと反対側を前方向（前方）、上下方向及び前後方向と直交する方向のうち後方に向いて右側を右方向（右側方）、左側を左方向（左側方）、ということにする。換言すると、便座２００に座った使用者の背面（背中側）から前面（お腹側）に向かう方向を前方向（前方）とし、前面から背面に向かう方向を後方向（後方）とする。
【００２５】
ケーシング４００の内部には、便座２００に座った使用者の女性局部の洗浄（ビデ洗浄）を実現する局部洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えば図示しないリモートコントローラなどの操作部を操作すると、ノズル４１０を便器８００のボウル８０１内に進出させることができる。図１に表した衛生洗浄装置１００では、ノズル４１０がボウル８０１内に進出した状態を表している。
なお、図１ではノズル４１０がボウル８０１の後ろ側から前方に向けてボウル８０１内に進出する具体例を表したが、本発明はこれには限定されない。例えば、これとは異なり、ノズル４１０が、ボウル８０１の前側から後方に向けてボウル８０１内に進出するものも、本発明の範囲に包含される。
【００２６】
ノズル４１０の先端部には、ひとつあるいは複数の吐水孔４１１が設けられている。ノズル４１０は、その先端部に設けられた吐水孔４１１から水を噴射して、便座２００に座った使用者の女性局部を洗浄することができる。例えば、図１に表したノズル４１０では、ふたつの吐水孔４１１のうちの例えば前側の吐水孔４１１ａは、ビデ洗浄用の吐水孔であり、後側の吐水孔４１１ｂは、おしり洗浄用の吐水孔である。なお、本願明細書において「水」という場合には、冷水のみならず、加熱されたお湯も含むものとする。
【００２７】
図２は、各種吐水による洗浄水の着水範囲を説明するための概念模式図である。
本実施形態のノズル４１０は、女性局部に洗浄水５００を着水する第１の吐水であるワイド吐水（図２（ａ））及び第２の吐水であるスポット吐水（図２（ｂ））を切り替え可能に設けられている。吐水を行う際、ノズル４１０は水平面に対して斜め下の前方に進出する。
【００２８】
図２（ａ）に表したように、ワイド吐水とは、ノズル４１０が第１の基準位置Ｐ１に静止している状態で、第１の範囲Ａ１で洗浄水５００をノズル４１０の吐水孔４１１から吐水することを言う。
ワイド吐水では、使用者６００の女性局部を含む第１の着水範囲Ｓ１に洗浄水５００が着水する。
【００２９】
図２（ｂ）に表したように、スポット吐水とは、ノズル４１０が第２の基準位置Ｐ２に静止している状態で、第１の範囲Ａ１よりも狭い第２の範囲Ａ２で洗浄水５００をノズル４１０の吐水孔４１１から吐水することを言う。
スポット吐水では、使用者６００の女性局部を含む第２の着水範囲Ｓ２に洗浄水５００が着水する。
【００３０】
ワイド吐水では、スポット吐水に比べて女性局部の広い範囲にわたり万遍なく洗浄水を着水させることができる。すなわち、ビデ洗浄においてワイド吐水を行うと、女性局部を中心とした広い範囲に洗浄水が着水して洗浄を行うことができる。そのため、所望の広い範囲を一度にさっと洗浄することができる。一方、スポット吐水を行うと、ワイド吐水の場合よりも狭い範囲を洗浄することができ、洗浄したい箇所を好みに応じて重点的に洗浄することができる。
【００３１】
図３は、本実施形態にかかる衛生洗浄装置の要部構成を表すブロック図である。
なお、図３において、水路系と電気系の要部構成を併せて表している。
本実施形態にかかる衛生洗浄装置１００は、水道や貯水タンクなどの図示しない給水源から供給された水を導く流路１０を有する。流路１０の上流側には、電磁弁４４０が設けられている。電磁弁４４０は、開閉可能な電磁バルブであり、ケーシング４００の内部に設けられた制御部４０１からの指令に基づいて、熱交換器４５０への水の供給を制御する。
【００３２】
電磁弁４４０の下流側には、熱交換器４５０が設けられている。熱交換器４５０は、供給された水を加熱し所定の温水にする。なお、熱交換器４５０は、例えば、シーズヒータなどを用いた瞬間加熱式熱交換器でもよいし、貯湯タンクを用いた貯湯加熱式熱交換器でもよい。
【００３３】
熱交換器４５０の下流側には、圧力変調装置４７０が設けられている。この圧力変調装置４７０は、流路１０内の水の流れに脈動を与え、ノズル４１０の吐水孔４１１から吐水される水に脈動を与えることができる。なお、圧力変調装置４７０は、必ずしも設けられていなくともよい。
【００３４】
圧力変調装置４７０の下流側には、ノズル４１０が設けられている。ノズル４１０は、水勢（流量）の調整を行う流量調整弁４８０と、ワイド吐水の際に通水されるワイド吐水用流路４２７と、スポット吐水の際に通水されるスポット吐水用流路４２８と、ノズル本体４２０と、を有する。流量調整弁４８０は、水勢の調整を行うことができるとともに、ノズル４１０への給水の開閉や切替を行うことができる。
【００３５】
流量調整弁４８０は、制御部４０１からの指令に基づいて、ワイド吐水用流路４２７へ通水したり、スポット吐水用流路４２８へ通水することができる。あるいは、流量調整弁４８０は、所定の比率でワイド吐水用流路４２７およびスポット吐水用流路４２８へ通水することができる。これにより、使用者は、ワイド吐水用流路４２７を通過する洗浄水の流量と、スポット吐水用流路４２８を通過する洗浄水の流量と、の比率を適宜設定変更することにより、より広い範囲を一度にさっと洗浄するワイド吐水と、より狭い範囲を重点的に洗浄するスポット吐水と、を好みに応じて切り替えることができる。
【００３６】
ノズル４１０は、ノズルモータ（ノズル駆動部）４９０からの駆動力を受け、便器８００のボウル８０１内に進出したり後退したりすることができる。そして、ノズル４１０は、ボウル８０１内に進出した状態で吐水孔４１１から水を噴射して、便座２００に座った使用者の女性局部を洗浄することができる。また、ノズル４１０は、ノズルモータ４９０によって往復移動をした状態で吐水を行うことができる。ノズル４１０を往復移動しながら吐水を行うムーブ洗浄では、所定の範囲で洗浄水を噴出した状態でノズルモータ４９０を駆動し、ノズル４１０を進退方向に沿って往復移動させる。
【００３７】
制御部４０１は、吐水形態を切り替える切替手段を含む。制御部４０１は、使用者からの指示に応じて、ノズル４１０によるワイド吐水、スポット吐水の切り替えや、ノズル４１０を移動させながら吐水を行うムーブ洗浄の切り替えを制御する。
すなわち、使用者によってワイド吐水が指示された場合、制御部４０１は、ワイド吐水用流路４２７を通過する洗浄水の流量を、スポット吐水用流路４２８を通過する洗浄水の流量に比べて多く設定する制御を行う。また、ワイド吐水の状態で使用者によってムーブが指示された場合、制御部４０１はワイド吐水を行いつつ、ノズルモータ４９０に駆動の指示を与え、ノズル４１０を往復移動させる制御を行う。
【００３８】
同様に、使用者によってスポット吐水が指示された場合、制御部４０１は、スポット吐水用流路４２８を通過する洗浄水の流量を、ワイド吐水用流路４２７を通過する洗浄水の流量に比べて多く設定する制御を行う。また、スポット吐水の状態で使用者によってムーブが指示された場合、制御部４０１はスポット吐水を行いつつ、ノズルモータ４９０に駆動の指示を与え、ノズル４１０を往復移動させる制御を行う。
【００３９】
次に、ノズル４１０の具体例について、図面を参照しつつ説明する。
図４は、ノズルの具体例を例示する模式的斜視図である。
図５は、ノズルを上方から眺めた模式的平面図である。
図６は、図５に表した切断面Ａ−Ａにおける模式的断面図である。
図４〜図６では、説明の便宜上、ノズル４１０の進退方向を前後方向と表記している。  この具体例では、ノズル４１０が１つのビデ洗浄用の吐水孔４１１を有する場合を例に挙げて説明する。
【００４０】
ノズル４１０は、ノズル本体４２０を有する。ノズル本体４２０の内部には、ワイド吐水用流路４２７と、スポット吐水用流路４２８と、が設けられている。ワイド吐水用流路４２７は、図５及び図６に表したように、旋回室４２３の大径部内周壁４２３ｅの接線方向に接続されている。一方、スポット吐水用流路４２８は、図５及び図６に表したように、旋回室４２３の軸心へ向かうように大径部内周壁４２３ｅに接続されている。また、旋回室４２３の中央部には、より安定した旋回力の旋回流を生成する突設部４２４が設けられている。
【００４１】
ワイド吐水用流路４２７は、旋回室４２３の大径部内周壁４２３ｅの接線方向に接続されているため、ワイド吐水用流路４２７を通過して旋回室４２３へ流入した洗浄水は、大径部内周壁４２３ｅおよび傾斜内周壁４２３ｆに沿って旋回する。
【００４２】
一方、スポット吐水用流路４２８は、旋回室４２３の軸心へ向かうように大径部内周壁４２３ｅに接続されているため、スポット吐水用流路４２８を通過して旋回室４２３へ流入した洗浄水は、旋回することなく連通路４２５の一端、すなわち吐水孔４２６から吐水される。
【００４３】
そのため、本具体例のノズル４１０によれば、ワイド吐水用流路４２７のみを介して旋回室４２３へ洗浄水を流入させると、より大きな旋回力を有する中空円錐状吐水を吐水孔４２６から吐水することができる。これにより、使用者は、より広い範囲を一度にさっと洗浄することができる。
【００４４】
これに対して、ワイド吐水用流路４２７のみではなく、ワイド吐水用流路４２７とスポット吐水用流路４２８とを介して旋回室４２３へ洗浄水を流入させると、旋回室４２３において生ずる旋回流の旋回力は、ワイド吐水用流路４２７のみを介して旋回室４２３へ洗浄水を流入させる場合よりも低減する。これは、ワイド吐水用流路４２７から旋回室４２３へ流入した洗浄水による旋回流と、スポット吐水用流路４２８から旋回室４２３へ流入した洗浄水による直進流と、が干渉するためである。そのため、この場合には、ワイド吐水用流路４２７のみを介して旋回室４２３へ洗浄水を流入させる場合よりも小さな旋回力を有する中空円錐状吐水が吐水孔４２６から吐水される。
【００４５】
また、これに対して、スポット吐水用流路４２８のみを介して旋回室４２３へ洗浄水を流入させると、ワイド吐水用流路４２７のみを介して旋回室４２３へ洗浄水を流入させる場合よりも狭い範囲で吐水することができる。そのため、この場合には、使用者は、洗浄したい洗浄箇所を好みに応じて重点的に洗浄することができる。
【００４６】
図７は、ビデ洗浄におけるワイド吐水の状態を説明する模式図である。
図７では、ワイド吐水においてノズルが前方に進出しているときの吐水の状態を例示している。
図７（ａ）に表したように、ビデ洗浄でワイド吐水を行うと、洗浄水５００は第１の範囲Ａ１で吐水し、使用者６００の女性局部を中心とした広範囲に着水する。ノズル４１０が最も前方に移動している状態では、女性局部の前側までしっかりと洗浄することができる。
【００４７】
ここで、図７（ｂ）に表したように、使用者６００の便座２００への座り方や位置、使用者の体型によっては、ワイド吐水における洗浄水５００の吐水範囲（第１の範囲Ａ１）の一部が女性局部の前側よりもさらに前方にはみ出してしまうことがある。このはみ出した範囲に吐水される洗浄水５００ａは、使用者６００の股の間から便座に飛び散ったり、使用者６００の太ももなどに付着するおそれがある。
【００４８】
そこで、本実施形態に係る衛生洗浄装置では、スポット吐水からワイド吐水に切り替える際、制御部４０１が、ワイド吐水における吐水の位置を、スポット吐水における吐水の位置よりも後方になるよう切り替えを行っている。
【００４９】
図８は、スポット吐水とワイド吐水とのノズルの位置の相違を説明する模式図である。
図８では、図４〜図６に例示した一つの吐水孔でスポット吐水とワイド吐水とを切り替えるノズル４１０を使用した場合のノズル４１０の位置を示している。
【００５０】
図８（ａ）は、スポット吐水の際のノズル４１０の位置を例示している。スポット吐水を行う場合、ノズル４１０は第２の基準位置Ｐ２まで進出し、この位置で吐水孔４１１から第２の着水範囲Ｓ２に洗浄水を吐水する。図８（ａ）では、ノズル４１０が第２の基準位置Ｐ２まで進出している状態で吐水孔４１１からワイド吐水を行った状態も例示している。先に説明したように、使用者６００の便座２００への座り方や位置、使用者の体型によっては、洗浄水５００の一部である洗浄水５００ａが使用者６００の女性局部の前側よりもさらに前方にはみ出してしまうこともある。
【００５１】
図８（ｂ）は、スポット吐水からワイド吐水への切り替えを行った際のノズル４１０の位置を例示している。スポット吐水からワイド吐水へ切り替えた際、ノズル４１０はスポット吐水の際の第２の基準位置Ｐ２よりも後方の第１の基準位置Ｐ１まで後退する。これにより、ノズル４１０の位置はノズル４１０の進退の軸Ｏの方向に沿った距離Ｒ１だけ後方へ移動する。ノズル４１０の後退とともに、吐水孔４１１の位置も後方へ距離Ｒ１だけ移動する。
【００５２】
ワイド吐水は、ノズル４１０をこの位置に移動させた状態で行われる。ノズル４１０が後退することで、ワイド吐水の際の着水範囲は第１の着水範囲Ｓ１になって、使用者６００の女性局部の前側よりも前方に洗浄水５００がはみ出して、飛び散ることを抑制できる。
【００５３】
ここで、スポット吐水からワイド吐水に切り替える際のノズル４１０の移動範囲である距離Ｒ１は、第１の着水範囲Ｓ１内に第２の着水範囲Ｓ１が収まる範囲になっている。すなわち、距離Ｒ１は、ノズル４１０が後退しても第１の着水範囲Ｓ１が第２の着水範囲Ｓ２よりも後方にならない距離になっている。このような距離Ｒ１になっていれば、ノズル４１０の移動は僅かになり、使用者６００にノズル４１０の移動があったことを知られずに、ノズル４１０を移動させることができる。
ノズル４１０の移動があったことを知られずに移動できるノズル４１０の移動量は、およそ３ｍｍである。また、ノズル４１０の移動量が９ｍｍを超えると洗浄水がおしりにかかり始めるため、３ｍｍ〜９ｍｍの間で移動量を設定することが好ましい。
【００５４】
また、ワイド吐水からスポット吐水へ切り替える際には、制御部４０１は、ノズル４１０を第１の基準位置Ｐ１よりも前方にするよう切り替える。すなわち、ワイド吐水からスポット吐水へ切り替える際、ノズル４１０は第１の基準位置Ｐ１から前方の第２の基準位置Ｐ２に戻されることになる。これにより、ワイド吐水の際に後方に移動した吐水の位置が、ワイド吐水からスポット吐水に切り替えた際に後方にずれたままになるといった問題の発生を回避できる。
【００５５】
図９〜図１１は、ノズルの位置と吐水形態との関係を例示するタイミングチャートである。
図９〜図１１は、第１〜第３のパターンをそれぞれ例示している。図中横軸は時間、縦軸は、動作、ノズルの位置及び吐水形態を示している。
【００５６】
先ず、図９に基づき第１のパターンを説明する。
待機状態（ｔ０〜ｔ１）では、ノズル４１０はケーシング４００内に収納されており、ノズル４１０からの吐水はされていない。ここで、使用者がビデ洗浄のスイッチを選択すると（ｔ１）、ノズル４１０は第２の基準位置Ｐ２まで前進し、吐水孔４１１から洗浄水がスポット吐水により吐水される。なお、待機状態において、使用者がビデ洗浄を選択した場合には、最初にスポット吐水が選択される。これにより、使用者は狭い吐水範囲で吐水されている状態で、好みの着水位置を調整することができる。
【００５７】
次に、使用者がビデ洗浄のスイッチを再度選択するか、切り替えのスイッチを選択すると（ｔ２）、ノズル４１０からの洗浄水の吐水を一旦停止し、ノズル４１０の位置を後退させる。そして、ノズル４１０が第１の基準位置Ｐ１まで後退すると（ｔ３）、ノズル４１０の吐水孔４１１から洗浄水がワイド吐水によって吐水される。
【００５８】
次に、使用者がビデ洗浄のスイッチを再度選択するか、切り替えのスイッチを選択すると（ｔ４）、ノズル４１０からの洗浄水の吐水を一旦停止し、ノズル４１０の位置を前進させる。そして、ノズル４１０が第２の基準位置Ｐ２まで進出すると（ｔ５）、ノズル４１０の吐水孔４１１から洗浄水がスポット吐水によって吐水される。このように、スイッチを選択するたびにスポット吐水とワイド吐水との切り替えが行われる。
【００５９】
使用者が停止スイッチを選択すると（ｔ６）、ノズル４１０からの洗浄水の吐水が停止し、ノズル４１０を後退してケーシング４００内に収納する。
【００６０】
第１のパターンでは、ノズル４１０の移動が完了し、基準位置に停止した状態でスポット吐水及びワイド吐水の吐水形態を切り替えることから、切り替える際の洗浄水の飛び散りが効果的に抑制される。
【００６１】
次に、図１０に基づき第２のパターンを説明する。
待機状態（ｔ０〜ｔ１）では、ノズル４１０はケーシング４００内に収納されており、ノズル４１０からの吐水はされていない。ここで、使用者がビデ洗浄のスイッチを選択すると（ｔ１）、ノズル４１０は第２の基準位置Ｐ２まで前進し、吐水孔４１１から洗浄水がスポット吐水によって吐水される。なお、第１のパターンと同様、待機状態において、使用者がビデ洗浄を選択した場合には、最初にスポット吐水が選択される。これにより、使用者は狭い吐水範囲で吐水されている状態で、好みの着水位置を調整することができる。
【００６２】
次に、使用者がビデ洗浄のスイッチを再度選択するか、切り替えのスイッチを選択すると（ｔ２）、ノズル４１０の位置を後退させる。また、ノズル４１０の移動とともに、吐水形態をスポット吐水からワイド吐水に徐々に切り替えていく。そして、ノズル４１０が第１の基準位置Ｐ１まで後退すると（ｔ３）、完全にワイド吐水に切り替わる。
【００６３】
次に、使用者がビデ洗浄のスイッチを再度選択するか、切り替えのスイッチを選択すると（ｔ４）、ノズル４１０の位置を前進させる。また、ノズル４１０の移動とともに、吐水形態をワイド吐水からスポット吐水に徐々に切り替えていく。そして、ノズル４１０が第２の基準位置Ｐ２まで進出すると（ｔ５）、完全にスポット吐水に切り替わる。このように、スイッチを選択するたびにスポット吐水とワイド吐水との切り替えが行われる。
【００６４】
使用者が停止スイッチを選択すると（ｔ６）、ノズル４１０からの洗浄水の吐水を停止し、ノズル４１０を後退してケーシング４００内に収納する。
【００６５】
第２のパターンでは、ノズル４１０の移動とともにスポット吐水及びワイド吐水の吐水形態を切り替えることから、切り替えと同時に吐水位置及び吐水形態が変わるので、使用者の切り替え意図にすばやく対応することができる。
【００６６】
次に、図１１に基づき第３のパターンを説明する。
待機状態（ｔ０〜ｔ１）では、ノズル４１０はケーシング４００内に収納されており、ノズル４１０からの吐水はされていない。ここで、使用者がビデ洗浄のスイッチを選択すると（ｔ１）、ノズル４１０は第２の基準位置Ｐ２まで前進し、吐水孔４１１から洗浄水がスポット吐水により吐水される。なお、第１及び第２のパターンと同様、待機状態において、使用者がビデ洗浄を選択した場合には、最初にスポット吐水が選択される。これにより、使用者は狭い吐水範囲で吐水されている状態で、好みの着水位置を調整することができる。
【００６７】
次に、使用者がビデ洗浄のスイッチを再度選択するか、切り替えのスイッチを選択すると（ｔ２）、ノズル４１０からのスポット吐水を継続しつつ、ノズル４１０の位置を後退させる。そして、ノズル４１０が第１の基準位置Ｐ１まで後退した段階で（ｔ３）、ノズル４１０からの吐水をワイド吐水に切り替える。
【００６８】
次に、使用者がビデ洗浄のスイッチを再度選択するか、切り替えのスイッチを選択すると（ｔ４）、ノズル４１０からの吐水形態をワイド吐水からスポット吐水に切り替える。そして、ノズル４１０の位置を前進させる。ノズル４１０が第２の基準位置Ｐ２まで進出した段階では（ｔ５）、既にノズル４１０の吐水形態はスポット吐水に切り替わっている。このように、スイッチを選択するたびにスポット吐水とワイド吐水との切り替えが行われる。
【００６９】
使用者が停止スイッチを選択すると（ｔ６）、ノズル４１０からの洗浄水の吐水を停止し、ノズル４１０を後退してケーシング４００内に収納する。
【００７０】
第３のパターンでは、スポット吐水及びワイド吐水の切り替わりでノズル４１０が移動している状態では常にスポット吐水になっており、ノズル４１０の移動中の着水範囲を狭くして、洗浄水の飛び散りを抑制している。
【００７１】
図１２は、ノズルの他の例について説明する模式的平面図である。
図１２では、ノズル４１０Ａの先端部分を例示している。このノズル４１０Ａには、ビデ洗浄用の吐水を行う吐水孔４１１ａとして、２つの吐水孔４２６ａ及び４２６ｂを備えている。すなわち、ノズル本体４２０には、進退の軸Ｏの方向に沿った前後に２つの吐水孔４２６ａ及び４２６ｂが設けられている。また、吐水孔４２６ａ及び４２６ｂよりも後方には、おしり洗浄用の吐水孔４１１ｂが設けられている。
【００７２】
ビデ洗浄用の吐水孔４１１ａのうち、前方の吐水孔４２６ｂの流入室４２３ｂにはスポット吐水用流路４２８が接続され、後方の吐水孔４２６ａの旋回室４２３ａにはワイド吐水用流路４２７が接続されている。
【００７３】
したがって、ワイド吐水用流路４２７を通過して旋回室４２３ａへ流入した洗浄水は、旋回室４２３ａと突設部４２４ａとの隙間に沿って旋回し、吐水孔４２６ａから第１の範囲Ａ１で吐水される。
【００７４】
一方、スポット吐水用流路４２８を通過して流入室４２３ｂへ流入した洗浄水は、旋回しないで流入室４２３ｂと突設部４２４ｂとの隙間を介して吐水孔４２６ｂから第２の範囲Ａ２で吐水される。
【００７５】
このノズル４１０Ａにおいて、ワイド吐水用の吐水孔４２６ａの位置は、スポット吐水用の吐水孔４２６ｂの位置よりも、進退の軸Ｏの方向に沿った距離Ｒ２だけ後方に設けられている。つまり、ワイド吐水を行う際には、スポット吐水を行う際の吐水位置よりも軸Ｏの方向に沿った距離Ｒ２だけ後方側の位置から吐水されることになる。なお、距離Ｒ２は、本実施例では、およそ５ｍｍに設定されているが、３ｍｍ〜９ｍｍの間で設定されることが望ましい。
【００７６】
本実施形態においてノズル４１０Ａを用いる場合には、スポット吐水及びワイド吐水の切り替えにおいてノズル４１０Ａを前後方向に移動させることなく、吐水位置を切り替えることができる。
【００７７】
図１３は、スポット吐水とワイド吐水との切り替えを説明する模式図である。
図１３では、ノズル４１０Ａを用いた場合の吐水の切り替えについて例示している。
図１３（ａ）は、スポット吐水の状態を例示している。スポット吐水を行う場合、ノズル４１０Ａは第２の基準位置Ｐ２まで進出し、この位置で前方の吐水孔４２６ｂから第２の着水範囲Ｓ２に洗浄水を吐水する。
【００７８】
図１３（ｂ）は、スポット吐水からワイド吐水への切り替えを行った状態を例示している。スポット吐水からワイド吐水へ切り替えを行う際、ノズル４１０Ａの移動は行われない。すなわち、ワイド吐水の際のノズル４１０Ａの位置である第１の基準位置Ｐ１は、スポット吐水の際の第２の基準位置Ｐ２と同じである。
一方、ワイド吐水では、後方の吐水孔４２６ａから第１の着水範囲Ｓ１に洗浄水を吐水する。
【００７９】
吐水孔４２６ａの位置は、吐水孔４２６ｂの位置よりも軸Ｏの方向に沿った距離Ｒ２だけ後方に配置されている。したがって、ワイド吐水では、スポット吐水に比べて吐水の位置が軸Ｏの方向に沿った距離Ｒ２だけ後方になる。ノズル４１０Ａを移動させなくても、ワイド吐水の際の吐水の位置がスポット吐水の際の吐水の位置よりも後方になるため、洗浄水が使用者６００の女性局部の前側よりも前方にはみ出して、飛び散ることを抑制できる。
【００８０】
また、前方の吐水孔４２６ｂと後方の吐水孔４２６ａとの距離Ｒ２は、第１の着水範囲Ｓ１内に第２の着水範囲Ｓ１が収まる範囲になっている。すなわち、距離Ｒ２は、後方の吐水孔４２６ａによる吐水の第１の着水範囲Ｓ１が第２の着水範囲Ｓ２よりも後方にならない距離になっている。このような距離Ｒ２になっていれば、吐水位置の変化は僅かになり、使用者６００に吐水位置が変化したことを知られずに、吐水形態を切り替えることができる。
【００８１】
図１４は、ワイド吐水のムーブについて説明する模式図である。
ムーブとは、ノズル４１０を前後に往復移動させながら吐水を行う吐水形態である。図１４（ａ）は、ワイド吐水の状態を例示している。また、図１４（ｂ）は、ワイド吐水のムーブの状態を例示している。
図１４（ａ）に表したように、ワイド吐水を行う場合、ノズル４１０は第１の基準位置Ｐ１で静止して、この位置で吐水孔４１１から第１の着水範囲Ｓ１に洗浄水を吐水する。
【００８２】
ここで、図１４（ｂ）に表したように、使用者がスポット吐水からワイド吐水に切り替えを指示し、さらにムーブを指示した場合、制御部４０１は、ノズル４１０の往復移動の範囲として、第１の基準位置Ｐ１よりも後方の範囲Ｍ１でノズル４１０を軸Ｏの方向に沿って往復移動させるよう制御する。ムーブによる着水範囲Ｓ１０は、ノズル４１０の移動によって拡がるが、ノズル４１０が静止した状態でワイド吐水を行った際の第２の着水範囲Ｓ２よりも前方には拡がらない。このため、ムーブ洗浄であっても使用者６００の前側への洗浄水５００の飛び散りを抑制することができる。
【００８３】
以上説明したように、本実施形態によれば、ビデ洗浄においてスポット吐水からワイド吐水への切り替えを行っても、洗浄水の吐水範囲の一部が女性局部の位置よりも前方にはみ出してしまうことを抑制することができる。これにより、使用者の股の間から洗浄水が便座に飛び散ったり、使用者の太ももに洗浄水が付着したりすることを抑制できる。このため、使用者は快適にビデ洗浄を行うことができるようになる。
【００８４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
また、上記実施形態では、衛生洗浄装置１００に便蓋３００が設けられた例を説明したが、便蓋３００が設けられていないものであっても適用可能である。
また、前述した各実施の形態が備える各要素は、技術的に可能な限りにおいて組み合わせることができ、これらを組み合わせたものも本発明の特徴を含む限り本発明の範囲に包含される。
【符号の説明】
【００８５】
１０…流路、１００…衛生洗浄装置、２００…便座、３００…便蓋、４００…ケーシング、４０１…制御部、４０４…着座検知センサ、４１０…ノズル、４１１…吐水孔、４２０…ノズル本体、４２３…旋回室、４２４…突設部、４２６…吐水孔、４２７…ワイド吐水用流路、４２８…スポット吐水用流路、４４０…電磁弁、４５０…熱交換器、４７０…圧力変調装置、４８０…流量調整弁、４９０…ノズルモータ、５００…洗浄水、６００…使用者、８００…便器、８０１…ボウル、Ａ１…第１の範囲、Ａ２…第２の範囲、Ｐ１…第１の基準位置、Ｐ２…第２の基準位置、Ｓ１…第１の着水範囲、Ｓ２…第２の着水範囲
【図１】
0005787052.tif 000002
【図２】
0005787052.tif 000003
【図３】
0005787052.tif 000004
【図４】
0005787052.tif 000005
【図５】
0005787052.tif 000006
【図６】
0005787052.tif 000007
【図７】
0005787052.tif 000008
【図８】
0005787052.tif 000009
【図９】
0005787052.tif 000010
【図１０】
0005787052.tif 000011
【図１１】
0005787052.tif 000012
【図１２】
0005787052.tif 000013
【図１３】
0005787052.tif 000014
【図１４】
0005787052.tif 000015